(57)【特許請求の範囲】
【請求項１】
荷重を支持する木製の柱心材と、前記柱心材の外周を取り囲む第１燃え止まり層と、前記第１燃え止まり層の外周を取り囲む木製の第１燃え代層とを備えた柱と、
前記柱心材の側面に接触した状態で固定され該側面から外側へ張り出す連結板と、
荷重を支持する木製の梁心材と、前記梁心材の側面と下面とを取り囲む第２燃え止まり層と、前記第２燃え止まり層の側面と下面とを取り囲む木製の第２燃え代層と、前記梁心材の端面から前記梁心材の梁長方向へ形成され前記連結板が挿入される第１縦溝とを備えた梁と、
前記第１縦溝に前記連結板を挿入し前記第１燃え止まり層の側面と前記第２燃え止まり層の端面とを対向させて前記第２燃え止まり層に前記連結板の側方と下方とを取り囲ませた状態で前記梁心材に前記連結板を連結する第１連結部材と、
を有する柱梁接合構造。
【請求項２】
前記梁心材の上面に設けられ、前記第２燃え止まり層とで前記連結板の周囲を囲むコンクリート製の床版を有する請求項１に記載の柱梁接合構造。
【請求項３】
荷重を支持する木製の柱心材と、前記柱心材の外周を取り囲む第１燃え止まり層と、前記第１燃え止まり層の外周を取り囲む木製の第１燃え代層とを備えた柱と、
前記柱心材に固定され前記第１燃え止まり層から外側へ張り出す連結板と、
荷重を支持する木製の梁心材と、前記梁心材の側面と下面とを取り囲む第２燃え止まり層と、前記第２燃え止まり層の側面と下面とを取り囲む木製の第２燃え代層と、前記梁心材の端面から前記梁心材の梁長方向へ形成され前記連結板が挿入される第１縦溝とを備えた梁と、
前記第１縦溝に前記連結板を挿入し前記第１燃え止まり層の側面と前記第２燃え止まり層の端面とを対向させて前記第２燃え止まり層に前記連結板の側方と下方とを取り囲ませた状態で前記梁心材に前記連結板を連結する第１連結部材と、
荷重を支持する木製の繋ぎ梁心材と、前記繋ぎ梁心材の側面と下面とを取り囲む第３燃え止まり層と、前記第３燃え止まり層の側面と下面とを取り囲む木製の第３燃え代層と、前記繋ぎ梁心材の端面から前記繋ぎ梁心材の梁長方向へ形成され前記連結板が挿入される第２縦溝とを備え前記梁に接合される繋ぎ梁と、
前記第２縦溝に前記連結板を挿入し前記第２燃え止まり層の端面と前記第３燃え止まり層の端面とを対向させ前記第３燃え止まり層に前記連結板の側方と下方とを取り囲ませた状態で前記繋ぎ梁心材に前記連結板を連結する第２連結部材と、
を有する柱梁接合構造。
【請求項４】
請求項３に記載の柱梁接合構造を構築する柱梁接合方法において、
前記第１縦溝に前記連結板が挿入されるように前記梁を移動して、前記柱の接合面と前記梁の端面とが対向するように配置する梁配置工程と、
前記第１連結部材により前記連結板を前記梁心材に連結する梁接合工程と、
前記第２縦溝に前記連結板が挿入されるように前記繋ぎ梁を上下方向へ移動して、前記梁の端面と前記繋ぎ梁の端面とが対向するように配置する繋ぎ梁配置工程と、
前記第２連結部材により前記連結板を前記繋ぎ梁心材に連結する繋ぎ梁接合工程と、
を有する柱梁接合方法。
【発明の詳細な説明】
【技術分野】
【０００１】
本発明は、耐火性を有する木造の柱と梁との柱梁接合構造、及び柱梁接合方法に関する。
【背景技術】
【０００２】
近年、木造の柱や梁として、燃え止まり機能を備えた耐火木造構造部材が提案されている。例えば、特許文献１には、木材からなる荷重支持層と、荷重支持層の外側に設けられる燃え止まり層と、燃え止まり層の外側に設けられる燃え代層とを有する複合木質構造材が開示されている。このような柱や梁により構築される木造建物においては、柱と梁との接合部にも、耐火木造構造部材と同等の耐火性が求められる。
【先行技術文献】
【特許文献】
【０００３】
【特許文献１】特開２００８−２１８９号公報
【発明の概要】
【発明が解決しようとする課題】
【０００４】
本発明は係る事実を考慮し、耐火性を有する木造の柱と梁との接合部に耐火性を付与することが可能な柱梁接合構造、及びこの柱梁接合構造を構築する柱梁接合方法を提供することを課題とする。
【課題を解決するための手段】
【０００５】
第１態様の発明は、荷重を支持する木製の柱心材と、前記柱心材の外周を取り囲む第１燃え止まり層と、前記第１燃え止まり層の外周を取り囲む木製の第１燃え代層とを備えた柱と、前記柱心材に固定され前記第１燃え止まり層から外側へ張り出す連結板と、荷重を支持する木製の梁心材と、前記梁心材の側面と下面とを取り囲む第２燃え止まり層と、前記第２燃え止まり層の側面と下面とを取り囲む木製の第２燃え代層と、前記梁心材の端面から前記梁心材の梁長方向へ形成され前記連結板が挿入される第１縦溝とを備えた梁と、前記第１縦溝に前記連結板を挿入し前記第１燃え止まり層の側面と前記第２燃え止まり層の端面とを対向させて前記第２燃え止まり層に前記連結板の側方と下方とを取り囲ませた状態で前記梁心材に前記連結板を連結する第１連結部材と、を有する柱梁接合構造である。
【０００６】
第１態様の発明では、柱心材と梁心材とをつないで柱と梁とを接合する連結板が、第２燃え止まり層によって取り囲まれているので、火災（加熱）時及び火災（加熱）終了後における連結板の温度上昇を抑制することができる。これにより、柱と梁との接合部に耐火性を付与することができる。
【０００７】
第２態様の発明は、第１態様の柱梁接合構造において、前記梁心材の上面に設けられ、前記第２燃え止まり層とで前記連結板の周囲を囲むコンクリート製の床版を有する柱梁接合構造である。
【０００８】
第２態様の発明では、柱心材と梁心材とをつないで柱と梁とを接合する連結板が、第２燃え止まり層と床版とによって取り囲まれているので、火災（加熱）時及び火災（加熱）終了後における連結板の温度上昇を抑制することができる。これにより、柱と梁との接合部に耐火性を付与することができる。
【０００９】
第３態様の発明は、第１又は第２態様の柱梁接合構造において、荷重を支持する木製の繋ぎ梁心材と、前記繋ぎ梁心材の側面と下面とを取り囲む第３燃え止まり層と、前記第３燃え止まり層の側面と下面とを取り囲む木製の第３燃え代層と、前記繋ぎ梁心材の端面から前記繋ぎ梁心材の梁長方向へ形成され前記連結板が挿入される第２縦溝とを備え前記梁に接合される繋ぎ梁と、前記第２縦溝に前記連結板を挿入し前記第２燃え止まり層の端面と前記第３燃え止まり層の端面とを対向させ前記第３燃え止まり層に前記連結板の側方と下方とを取り囲ませた状態で前記繋ぎ梁心材に前記連結板を連結する第２連結部材と、を有する柱梁接合構造である。
【００１０】
第３態様の発明では、柱に梁を接合した後に、繋ぎ梁を上下移動させて梁に接合することができる。
【００１１】
第４態様の発明は、第３態様の柱梁接合構造を構築する柱梁接合方法において、前記第１縦溝に前記連結板が挿入されるように前記梁を移動して、前記柱の接合面と前記梁の端面とが対向するように配置する梁配置工程と、前記第１連結部材により前記連結板を前記梁心材に連結する梁接合工程と、前記第２縦溝に前記連結板が挿入されるように前記繋ぎ梁を上下方向へ移動して、前記梁の端面と前記繋ぎ梁の端面とが対向するように配置する繋ぎ梁配置工程と、前記第２連結部材により前記連結板を前記繋ぎ梁心材に連結する繋ぎ梁接合工程と、を有する柱梁接合方法である。
【００１２】
第４態様の発明では、梁配置工程と梁接合工程とによって柱に梁を接合した後に、繋ぎ梁配置工程と繋ぎ梁接合工程とによって繋ぎ梁を上下移動させて梁に接合することができる。
【発明の効果】
【００１３】
本発明は上記構成としたので、耐火性を有する木造の柱と梁との接合部に耐火性を付与することができる。
【図面の簡単な説明】
【００１４】
【図１】本発明の実施形態に係る柱梁接合構造を示す平断面図である。
【図２】図１のＡ−Ａ断面図である。
【図３】図１のＢ−Ｂ断面図である。
【図４】本発明の実施形態に係る柱梁接合方法を示す説明図である。
【図５】本発明の実施形態に係る梁の変形例を示す横断面図である。
【図６】本発明の実施形態に係る梁の変形例を示す横断面図である。
【図７】本発明の実施形態に係る連結板の変形例を示す平断面図である。
【図８】本発明の実施形態に係る連結板の固定方法の変形例を示す側断面図である。
【図９】本発明の実施形態に係る柱梁架構を示す側断面図である。
【発明を実施するための形態】
【００１５】
図を参照しながら、本発明の実施形態を説明する。まず、本発明の実施形態に係る柱梁接合構造について説明する。
【００１６】
図１の平断面図に示すように、柱梁接合構造１０は、柱１２、梁１４、繋ぎ梁１６、及び連結板１８を有している。梁１４の梁長は、柱１２に梁１４を接合する際において梁１４のハンドリングが容易となる程度に短くなっており、繋ぎ梁１６の梁長は、梁１４の梁長よりも長くなっている。
【００１７】
柱１２は、荷重を支持する木製の柱心材２０と、柱心材２０の外周を取り囲む第１燃え止まり層２２と、第１燃え止まり層２２の外周を取り囲む木製の第１燃え代層２４とを備えている。
【００１８】
図１、及び図１のＡ−Ａ断面図である図２に示すように、連結板１８は、鋼板により形成されている。また、連結板１８は、連結板１８の端部に設けられたフランジ部２６と柱心材２０とを貫通するアンカーボルト２８の端部に、ナット３０を捩じ込み締め付けることによって柱心材２０に固定されている。また、連結板１８は、第１燃え止まり層２２から外側へ（繋ぎ梁１６側へ）張り出している。
【００１９】
図１のＢ−Ｂ断面図である図３に示すように、梁１４は、荷重を支持する木製の梁心材３２と、梁心材３２の側面と下面とを取り囲む第２燃え止まり層３４と、第２燃え止まり層３４の側面と下面とを取り囲む木製の第２燃え代層３６と、梁心材３２の梁長方向に沿って梁心材３２の一方（柱１２側）の端面から他方（繋ぎ梁１６側）の端面へ形成された第１縦溝３８とを備えている。第１縦溝３８は、梁心材３２の上面から下方へ形成されており、第１縦溝３８には、連結板１８が挿入されている。
【００２０】
繋ぎ梁１６は、図１に示すように、荷重を支持する木製の繋ぎ梁心材４０と、繋ぎ梁心材４０の側面と下面とを取り囲む第３燃え止まり層４２と、第３燃え止まり層４２の側面と下面とを取り囲む木製の第３燃え代層４４と、繋ぎ梁心材４０の端部に形成された第２縦溝４６とを備えている。
【００２１】
第２縦溝４６は、繋ぎ梁心材４０の梁長方向に沿って繋ぎ梁心材４０の端面から形成されており、第２縦溝４６には、連結板１８が挿入される。第２縦溝４６は、繋ぎ梁心材４０の上面から下方へ形成されており、第２縦溝４０には、連結板１８が挿入されている。
【００２２】
梁１４の梁心材３２、第２燃え止まり層３４、第２燃え代層３６と、繋ぎ梁１６の繋ぎ梁心材４０、第３燃え止まり層４２、第３燃え代層４４との断面配置は略同じであり、梁１４に繋ぎ梁１６が接合された図１、２の状態で、梁心材３２と繋ぎ梁心材４０、第２燃え止まり層３４と第３燃え止まり層４２、第２燃え代層３６と第３燃え代層４４の端面同士は、それぞれ対向し略一致している。
【００２３】
図１、２に示すように、梁１４は、第１縦溝３８に連結板１８が挿入された状態で、梁心材３２に形成された連結孔５０と、連結板１８に形成された貫通孔５２とに、第１連結部材としてのドリフトピン４８を貫通させて、梁心材３２に連結板１８を連結することにより、柱１２に接合されている。
【００２４】
ドリフトピン４８は、第２燃え代層３６と第２燃え止まり層３４とに形成され連結孔５０と連通する挿入孔５６から挿入する。そして、ドリフトピン４８を連結孔５０と貫通孔５２とに貫通させた後に、閉塞材や閉塞部材によって挿入孔５６を塞ぐ。第２燃え代層３６に形成されている挿入孔５６は、第２燃え代層３６を形成する材料によって塞ぎ、第２燃え止まり層３４に形成されている挿入孔５６は、第２燃え止まり層３４を形成する材料によって塞ぐのが好ましい。
【００２５】
図２に示すように、梁１４の端部は、柱１２の側面に形成された切欠部５４に挿入されており、これによって、柱１２に梁１４を接合した状態で、第１燃え止まり層２２の側面と第２燃え止まり層３４の端面とは接触している。
【００２６】
繋ぎ梁１６は、第２縦溝４６に連結板１８が挿入された状態で、繋ぎ梁心材４０に形成された連結孔６０と、連結板１８に形成された貫通孔６２とに、第２連結部材としてのドリフトピン５８を貫通させて、繋ぎ梁心材４０に連結板１８を連結することにより、柱１２と梁１４とに接合されている。
【００２７】
ドリフトピン５８は、第３燃え代層４４と第３燃え止まり層４２とに形成され連結孔６０と連通する挿入孔６４から挿入する。そして、ドリフトピン５８を連結孔６０と貫通孔６２とに貫通させた後に、閉塞材や閉塞部材によって挿入孔６４を塞ぐ。第３燃え代層４４に形成されている挿入孔６４は、第３燃え代層４４を形成する材料によって塞ぎ、第３燃え止まり層４２に形成されている挿入孔６４は、第３燃え止まり層４２を形成する材料によって塞ぐのが好ましい。
【００２８】
柱１２と梁１４とに繋ぎ梁１６を接合した状態で、第２燃え止まり層３４の端面と第３燃え止まり層４２の端面とは１０〜２０ｍｍ程度の隙間を有するようにして対向している。また、この隙間には充填材Ｍが充填されている。
【００２９】
図３に示すように、梁１４の上面には、鉄筋コンクリート製の床版６６が設けられている。すなわち、梁心材３２、第２燃え止まり層３４、及び第２燃え代層３６の上面に、床版６６が設けられている。これにより、連結板１８の側方と下方とは、第２燃え止まり層３４及び第３燃え止まり層４２によって取り囲まれ、連結板１８の上方は床版６６によって取り囲まれている。すなわち、連結板１８は、第２燃え止まり層３４と床版６６、及び第３燃え止まり層４２と床版６６とによって外周を取り囲まれている。
【００３０】
なお、柱心材２０、梁心材３２、繋ぎ梁心材４０、第１燃え代層２４、第２燃え代層３６、及び第３燃え代層４４は、木材によって形成されていればよい。例えば、柱心材２０、梁心材３２、繋ぎ梁心材４０、第１燃え代層２４、第２燃え代層３６、及び第３燃え代層４４は、米松、唐松、檜、杉、あすなろ等の一般の木造建築に用いられる柱材や梁材（以下、「一般木材」とする）によって形成してもよいし、これらの一般木材を角柱状の単材に加工し、この単材を複数集成し単材同士を接着剤により接着して一体化することによって形成してもよい。
【００３１】
また、第１燃え止まり層２２、第２燃え止まり層３４、及び第３燃え止まり層４２は、熱の吸収が可能な層であればよい。例えば、第１燃え止まり層２２、第２燃え止まり層３４、及び第３燃え止まり層４２は、一般木材よりも熱容量が大きな材料、一般木材よりも断熱性が高い材料、又は一般木材よりも熱慣性が高い材料によって形成してもよいし、これらの材料と一般木材とを組み合わせて形成してもよい。
【００３２】
一般木材よりも熱容量が大きな材料としては、モルタル、石材、ガラス、繊維補強セメント等の無機質材料、各種の金属材料などが挙げられる。一般木材よりも断熱性が高い材料としては、珪酸カルシウム板、ロックウール、グラスウールなどが挙げられる。一般木材よりも熱慣性が高い材料としては、セランガンバツ、ジャラ、ボンゴシ等の木材が挙げられる。
【００３３】
また、充填材Ｍは、隙間への充填が可能であり、且つ梁１４の端面と繋ぎ梁１６の端面との間で力を伝達できる材料であればよい。充填材Ｍは、一般木材よりも熱容量が大きな材料、一般木材よりも断熱性が高い材料、又は一般木材よりも熱慣性が高い材料などの熱の吸収が可能な材料によって形成されていることが好ましいが、第２燃え止まり層３４の端面と第３燃え止まり層４２の端面から熱は吸収されるので、熱の吸収が期待できないような材料を充填材Ｍとして用いてもよい。充填材Ｍとしては、モルタル、繊維補強セメントなどが挙げられる。
【００３４】
また、第２燃え止まり層３４に形成されている挿入孔５６は、第２燃え止まり層３４を形成する材料によって塞ぎ、第３燃え止まり層４２に形成されている挿入孔６４は、第３燃え止まり層４２を形成する材料によって塞ぐのが好ましいが、熱の吸収が可能な閉塞材又は閉塞部材で塞ぐのがより好ましい。また、第２燃え止まり層３４及び第３燃え止まり層４２の挿入孔５６、６４が形成されていない部分が熱を吸収するので、熱の吸収が期待できないような閉塞材又は閉塞部材で挿入孔５６、６４を塞いでもよい。
【００３５】
次に、本発明の実施形態に係る柱梁接合方法について説明する。
【００３６】
ここでは、図４（ａ）〜（ｅ）により、柱梁接合方法を用いて建物を構築する手順の一例について説明する。建物は、連結板固定工程、梁配置工程、梁接合工程、柱搬送工程、柱設置工程、繋ぎ梁配置工程、及び繋ぎ梁接合工程によって構築される。また、柱梁接合方法は、梁配置工程、梁接合工程、繋ぎ梁配置工程、及び繋ぎ梁接合工程によって構成されている。
【００３７】
まず、連結板固定工程では、工場や現場仮設ヤード等にて、アンカーボルト２８及びナット３０により、連結板１８のフランジ部２６を柱心材２０に固定して、柱１２に連結板１８を固定する。図４（ｅ）に示すように、柱１２は、構築する建物の１階の柱の上半分と、２階の柱と、３階の柱の下半分とが１つにつながれている部材である。
【００３８】
次に、梁配置工程では、図４（ａ）に示すように、工場の床や現場仮設ヤードの地面等の基盤６８上に柱１２を立てる。そして、柱１２に固定された連結板１８が、梁１４の第１縦溝３８に挿入されるように梁１４を移動して、柱１２の接合面と梁１４の端面とが対向するように配置する。第１縦溝３８は、梁心材３２の上面から下方へ形成されているので、梁１４を横移動させて第１縦溝３８に連結板１８を挿入してもよいし、連結板１８の下方に配置した梁１４を上方へ移動させて第１縦溝３８に連結板１８を挿入した後に、この梁１４を横移動させてもよい。
【００３９】
次に、梁接合工程では、ドリフトピン４８により、柱１２に固定された連結板１８を梁１４の梁心材３２に連結して、建物の２、３階を構成する梁１４を柱１２に接合する。挿入孔５６は、連結板１８を梁１４の梁心材３２に連結した後に、閉塞材や閉塞部材によって塞ぐ。
【００４０】
次に、柱搬送工程では、梁１４が固定された柱１２を、建物を構築する施工ヤードへ搬送する。
【００４１】
次に、柱設置工程では、図４（ｂ）に示すように、施工ヤードへ搬送された柱１２を、施工ヤードの基礎７０上に設置された柱７２上に載置し、柱７２に柱１２を接合する。
【００４２】
柱７２は、柱１２と同様の構成になっている。すなわち、柱７２は、荷重を支持する木製の柱心材と、柱心材の外周を取り囲む第１燃え止まり層と、第１燃え止まり層の外周を取り囲む木製の第１燃え代層とを備えている。
【００４３】
次に、繋ぎ梁配置工程では、図４（ｃ）に示すように、繋ぎ梁１６の第２縦溝４６に、柱１２に固定された連結板１８が挿入されるように繋ぎ梁１６を下方から上方へ移動して、梁１４の端面と繋ぎ梁１６の端面とが１０〜２０ｍｍ程度の隙間を有して対向するように配置する。
【００４４】
第２縦溝４６は、繋ぎ梁１６の繋ぎ梁心材４０の上面から下方へ形成されているので、繋ぎ梁１６を下方から上方へ移動させることによって、梁１４の端面と繋ぎ梁１６の端面とが対向するように繋ぎ梁１６を配置することができる。
【００４５】
次に、繋ぎ梁接合工程では、図４（ｄ）に示すように、ドリフトピン５８により、柱１２に固定された連結板１８を繋ぎ梁１６の繋ぎ梁心材４０に連結して、建物の２階を構成する繋ぎ梁１６の両端部を左右の柱１２にそれぞれ接合する。連結板１８を繋ぎ梁１６の繋ぎ梁心材４０に連結した後に、挿入孔６４は、閉塞材又は閉塞部材によって塞ぎ、梁１４の端面と繋ぎ梁１６の端面との間の隙間は、充填材Ｍによって塞ぐ。
【００４６】
次に、図４（ｅ）に示すように、建物の２階を構成する全ての繋ぎ梁１６を柱１２に接合した後に、コンクリートを打設して床版６６を形成する。次に、図４（ｃ）〜（ｅ）と同様の工程により、建物の３階を構築する。
【００４７】
次に、図４（ｅ）の柱１２の上に、次の階を構成する柱１２を載置して接合し、後は、必要とする階数に達するまで、これまで説明した工程を繰り返して建物を構築する。
【００４８】
次に、本発明の実施形態に係る柱梁接合構造及び柱梁接合方法の作用と効果について説明する。
【００４９】
本発明の実施形態の柱梁接合構造１０では、図２に示すように、柱心材２０に固定された連結板１８をドリフトピン４８により梁心材３２に連結することによって、梁１４に作用する荷重を、梁心材３２、ドリフトピン４８、連結板１８の順に伝えて柱心材２０に伝達することができ、また、柱１２に作用する荷重を、柱心材２０、連結板１８、ドリフトピン４８の順に伝えて梁心材３２に伝達することができるので、柱１２に梁１４を接合することができる。
【００５０】
また、柱心材２０に固定された連結板１８をドリフトピン５８により繋ぎ梁心材４０に連結することによって、繋ぎ梁１６に作用する荷重を、繋ぎ梁心材４０、ドリフトピン５８、連結板１８の順に伝えて柱心材２０に伝達することができ、また、柱１２に作用する荷重を、柱心材２０、連結板１８、ドリフトピン５８の順に伝えて繋ぎ梁心材４０に伝達することができるので、柱１２に繋ぎ梁１６を接合することができる。
【００５１】
また、ドリフトピン４８、５８によって梁心材３２と繋ぎ梁心材４０とに連結板１８を連結し、梁１４の端面と繋ぎ梁１６の端面との間の隙間に充填した充填材Ｍを介して梁心材３２の端面と繋ぎ梁心材４０の端面とを接続することによって、梁１４と繋ぎ梁１６とを接合することができる。
【００５２】
また、柱１２においては、図１に示すように、火災が発生したときに火炎が第１燃え代層２４に着火し、第１燃え代層２４が燃焼する。そして、燃焼した第１燃え代層２４は炭化する。よって、柱１２の外部から柱心材２０への熱伝達と酸素供給とを炭化した第１燃え代層２４が遮断し、第１燃え止まり層２２が吸熱するので、火災（加熱）時及び火災（加熱）終了後における柱心材２０の温度上昇を抑制することができる。
【００５３】
また、梁１４においては、図３に示すように、火災が発生したときに火炎が第２燃え代層３６に着火し、第２燃え代層３６が燃焼する。そして、燃焼した第２燃え代層３６は炭化する。よって、梁１４の外部から梁心材３２への熱伝達と酸素供給とを炭化した第２燃え代層３６が遮断し、第２燃え止まり層３４が吸熱するので、火災（加熱）時及び火災（加熱）終了後における梁心材３２の温度上昇を抑制することができる。
【００５４】
また、繋ぎ梁１６においては、図１、２に示すように、火災が発生したときに火炎が第３燃え代層４４に着火し、第３燃え代層４４が燃焼する。そして、燃焼した第３燃え代層４４は炭化する。よって、繋ぎ梁１６の外部から繋ぎ梁心材４０への熱伝達と酸素供給とを炭化した第３燃え代層４４が遮断し、第３燃え止まり層４２が吸熱するので、火災（加熱）時及び火災（加熱）終了後における繋ぎ梁心材４０の温度上昇を抑制することができる。
【００５５】
また、第１燃え止まり層２２の側面と第２燃え止まり層３４の端面とは接触しており、第２燃え止まり層３４の端面と第３燃え止まり層４２の端面とは対向し、これらの間の隙間には充填材Ｍが充填されているので、柱１２と梁１４、及び梁１４と繋ぎ梁１６の接合部から熱が進入して、柱心材２０、梁心材３２及び繋ぎ梁心材４０の温度が上昇するのを抑制することができる。
【００５６】
よって、火災（加熱）時及び火災（加熱）終了後において、所定時間（例えば、１時間耐火の場合には、１時間）の間、柱心材２０、梁心材３２及び繋ぎ梁心材４０を着火温度未満に抑え、柱心材２０、梁心材３２及び繋ぎ梁心材４０を燃焼させずに燃え止まらせて、構造体として機能させることができる。
【００５７】
また、図１〜３に示すように、連結板１８は、周囲を第２燃え止まり層３４と床版６６、及び第３燃え止まり層４２と床版６６とによって取り囲まれているので、火災（加熱）時及び火災（加熱）終了後における連結板１８の温度上昇を抑制することができる。これにより、柱１２と梁１４、柱１２と繋ぎ梁１６、及び梁１４と繋ぎ梁１６の接合部に耐火性を付与することができる。
【００５８】
また、実施形態の柱梁接合方法では、柱１２に梁１４を接合した後に、繋ぎ梁１６を上下移動させて梁１４に接合することができる。例えば、梁１４を横移動させて柱１２に接合する柱梁接合構造の場合、柱梁接合構造１０のように、梁長の短い梁１４と、梁長の長い繋ぎ梁１６とを接合する構成しておけば、梁長が短く重量が軽いので取り扱いが容易な梁１４を横移動させて柱１２に接合し、梁長が長く重量が重いので取り扱いが面倒な繋ぎ梁１６を上下移動させることによって梁１４に接合することができる。
【００５９】
また、柱１２を複数階分の部材（構築する建物の１階の柱の上半分と、２階の柱と、３階の柱の下半分とが１つにつながれている部材）にすることにより、柱同士の接合作業の回数が減るので、施工効率を向上させることができる。
【００６０】
また、梁１４の端面と繋ぎ梁１６の端面との間に１０〜２０ｍｍ程度の若干の隙間を有するようにして繋ぎ梁１６を配置することにより、柱１２、梁１４及び繋ぎ梁１６の製作誤差や、柱１２及び梁１４の施工（設置）誤差を吸収することができる。
【００６１】
以上、本発明の実施形態について説明した。
【００６２】
なお、本発明の実施形態では、第２燃え止まり層３４が、梁心材３２の側面と下面とを取り囲み、第２燃え代層３６が、第２燃え止まり層３４の側面と下面とを取り囲む例を示したが、図５の横断面図に示すように、第２燃え止まり層３４が、梁心材３２の外周を取り囲み、第２燃え代層３６が、第２燃え止まり層３４の外周を取り囲むようにしてもよい。この場合には、第１縦溝３８に連結板１８を挿入した際に残る、第１縦溝３８上部の隙間に充填材Ｍを充填して塞ぐ。
【００６３】
また、本発明の実施形態では、第３燃え止まり層４２が、繋ぎ梁心材４０の側面と下面とを取り囲み、第３燃え代層４４が、第３燃え止まり層４２の側面と下面とを取り囲む例を示したが、第３燃え止まり層４２が、繋ぎ梁心材４０の外周を取り囲み、第３燃え代層４４が、第３燃え止まり層４２の外周を取り囲むようにしてもよい。
【００６４】
また、本発明の実施形態では、梁１４の端部を挿入する切欠部５４を柱１２の側面に形成した例を示したが、この切欠部５４は、図２に示すように、柱１２に梁１４が接合され梁１４の上面に床版６６が設けられた状態で、床版６６の上面と、第２燃え燃え代層３６の下面に１０〜２０ｍｍ程度の隙間を有するように形成してもよい（以下、床版６６の上面に形成される隙間を「上目地」、第２燃え燃え代層３６の下面に形成される隙間を「下目地」とする）。このようにすれば、切欠部５４の開口面積が大きくなるので梁１４を挿入し易くなる（例えば、下方から斜め上方へ梁１４を移動させて切欠部５４に挿入することも容易になる）。また、上目地及び下目地にモルタル等を充填して耐火処理を施すことによって、上目地及び下目地から熱が進入することを防ぐことができる。また、上目地及び下目地に、耐火性を有する可撓性材料を充填することにより、第１燃え代層２４が乾燥等により上下方向へ収縮した場合においても、上目地及び下目地が閉塞された状態を維持することができる。
【００６５】
また、本発明の実施形態では、柱１２を複数階分の部材（構築する建物の１階の柱の上半分と、２階の柱と、３階の柱の下半分とが１つにつながれている部材）とした例を示したが、１つの柱１２の高さは、どのような高さにしてもよい。例えば、柱１２を、構築する建物の１階の柱の上半分と、２階の柱と、３階の柱と、４階の柱の下半分とが１つにつながれている部材としてもよいし、構築する建物の１階の柱の上半分と、２階の柱の下半分とが１つにつながれている部材としてもよい。また、例えば、図４（ｅ）の柱１２の上に、３階の柱の上半分の部材を載置し接合して、３階建ての建物を構築してもよい。
【００６６】
また、本発明の実施形態では、第１縦溝３８を梁心材３２の上面から下方へ形成した例を示したが、第１縦溝３８は、第２燃え代層３６の下面から上方へ形成してもよい。また、第２縦溝４６を繋ぎ梁心材４０の上面から下方へ形成した例を示したが、第２縦溝４６は、第３燃え代層４４の下面から上方へ形成してもよい。図６の横断面図に示すように、第２縦溝４６を第３燃え代層４４の下面から上方へ形成することにより、繋ぎ梁１６を上方から下方へ移動させることによって、梁１４の端面と繋ぎ梁１６の端面とが対向するように繋ぎ梁１６を配置することができる。
【００６７】
また、本発明の実施形態では、図４（ｄ）に示すように、隣り合う柱１２の間に、１つの繋ぎ梁１６と、２つの梁１４とを配置した例を示したが、隣り合う柱１２の間にいくつの梁を配置するようにしてもよい。例えば、隣り合う柱１２の間に１つの梁を配置するようにしてもよい。すなわち、１つの梁１４の梁長を、図４（ｄ）で示した１つの繋ぎ梁１６と、２つの梁１４との梁長を合計した長さ（隣り合う一方の柱１２の梁接合面から、他方の柱１２の梁接合面までの長さ）にして、この梁１４の両端部を、図２で示した方法で（ドリフトピン４８により、柱１２に固定された連結板１８を梁心材３２に連結して）柱１２にそれぞれ接合すればよい。
【００６８】
また、本発明の実施形態では、連結板１８により柱１２に梁１４と繋ぎ梁１６とを接合した例を示したが、連結板１８を複数配置するようにしてもよい。このようにすれば、連結板１８と梁心材３２及び繋ぎ梁心材４０の広い範囲とで力を伝達することができる。この場合、ドリフトピン４８、５８を複数の連結板１８に貫通させてもよいが、図７の平断面図に示すように、ドリフトピン４８、５８を連結板１８毎に設けて、それぞれのドリフトピン４８、５８を離して配置するのが好ましい。これにより、連結板１８に対して連結板１８の面方向に梁心材３２や繋ぎ梁心材４０が移動したときにドリフトピン４８、５８が曲がり、ドリフトピン４８、５８の降伏によるエネルギー吸収効果が得られる。
【００６９】
また、本発明の実施形態では、図１、２に示すように、連結板１８をアンカーボルト２８及びナット３０により柱心材２０に固定した例を示したが、図８の側断面図に示すように、アンカーボルト２８の端部（雄ネジ部の根元付近）に鍔部７４を形成し、この鍔部７４とナット３０とによって連結板１８を挟み込むようにしてもよい。図１、２の場合において、梁１４に作用した圧縮力は連結板１８を介して柱心材２０に伝達されるが、図８の場合において、梁１４に作用した圧縮力は連結板１８を介して柱心材２０とアンカーボルト２８とに伝達される。すなわち、図８では、柱心材２０とアンカーボルト２８との両方で圧縮応力が伝達されるので接合効率を上げることができる。なお、静的な長期荷重が梁１４に作用する場合には、梁１４端面の下方に圧縮力が発生するので、下方に配置されたアンカーボルト２８の端部に鍔部７４を形成するのが効果的となる。
【００７０】
また、本発明の実施形態では、第１燃え止まり層２２の側面と第２燃え止まり層３４の端面とを接触させ、第２燃え止まり層３４の端面と第３燃え止まり層４２の端面とを対向させた例を示したが、第１燃え止まり層２２の側面と第２燃え止まり層３４の端面、及び第２燃え止まり層３４の端面と第３燃え止まり層４２の端面とは、対向していればよい。すなわち、第１燃え止まり層２２の側面と第２燃え止まり層３４の端面、及び第２燃え止まり層３４の端面と第３燃え止まり層４２の端面とは、接触していてもよいし、隙間を有していてもよい。隙間を有する場合には、第１燃え止まり層２２の側面と第２燃え止まり層３４の端面、及び第２燃え止まり層３４の端面と第３燃え止まり層４２の端面との間からの熱の進入を防ぐために、充填材Ｍを充填してこの隙間を塞ぐ。
【００７１】
また、本発明の実施形態では、柱１２に４つの梁１４を接合した例を示したが、柱１２に接合する梁１４はいくつでもよい。例えば、１つの梁１４のみを柱１２に接合してもよいし、平面視にて一直線状、Ｌ字状又はＴ字状に配置されるように２つ又は３つの梁１４を柱１２に接合してもよい。
【００７２】
また、本発明の実施形態では、図４（ａ）に示すように、工場や現場仮設ヤード等にて、柱心材２０に連結板１８及び梁１４を固定した例を示したが、これらを現場の施工ヤードで行うようにしてもよい。すなわち、現場の施工ヤードの基礎７０上に設置された柱７２上に柱１２を載置し接合した後に、連結板固定工程、梁配置工程、梁接合工程を行ってもよい。
【００７３】
また、本発明の実施形態では、柱１２に梁１４を接合する柱梁接合構造１０について説明したが、この柱梁接合構造１０を梁同士（例えば、大梁と小梁）の接合に適用してもよい。
【００７４】
また、図９の側断面図に示すように、本発明の実施形態で示した柱梁接合構造１０を用いて柱梁架構７６を構成し、この柱梁架構７６に架構ブレース７８を設けてもよい。架構ブレース７８を設けることにより、地震時に柱梁架構７６に生じるせん断力を架構ブレース７８の軸力（引張力又は圧縮力）として負担し、柱梁架構７６のせん断抵抗を高めることができる。架構ブレース７８は、鋼製、鉄筋コンクリート製、木製等のさまざまな構成のものを用いることができる。
【００７５】
また、これらの架構ブレース７８及び架構ブレース７８の接合部に耐火性を付与させることにより、架構ブレース７８を設けることによって柱梁架構７６の耐火性能が低下するのを防ぐことができる。
【００７６】
図９には、柱梁架構７６に木製の架構ブレース７８が設けられている例が示されている。鋼製の連結板８０が仕口部下方に位置する柱心材２０に固定され、柱梁架構７６に配置された鋼製の接合プレート８２が、ボルト８４によって連結板８０と連結板１８とに接合されている。そして、ドリフトピン８６により、この接合プレート８２に架構ブレース７８が接合されている。このように、連結板１８と、連結板８０と、接合プレート８２とを別の部材によって構成することにより、架構ブレース７８を柱梁架構７６に取り付ける直前に、柱梁架構７６に接合プレート８２を取り付けることができる。これにより、柱梁架構７６に架構ブレース７８を設ける構成においても、図４の手順により建物を構築することができる。
【００７７】
架構ブレース７８は、軸力を負担するブレース心材８８と、このブレース心材８８の外周を取り囲む燃え止まり層９０と、燃え止まり層９０の外周を取り囲む燃え代層９２とを備えている。また、接合プレート８２は、燃え止まり層９４により取り囲まれており、この燃え止まり層９４が木製の燃え代層９６により取り囲まれている。ブレース心材８８は、柱心材２０と、燃え止まり層９０、９４は、第１燃え止まり層２２と、燃え代層９２、９６は、第１燃え代層２４と同様の材料によって形成されている。
【００７８】
以上、本発明の実施形態について説明したが、本発明はこうした実施形態に何等限定されるものでなく、本発明の要旨を逸脱しない範囲において、種々なる態様で実施し得ることは勿論である。
【符号の説明】
【００７９】
１０  柱梁接合構造
１２  柱
１４  梁
１６  繋ぎ梁
１８  連結板
２０  柱心材
２２  第１燃え止まり層
２４  第１燃え代層
３２  梁心材
３４  第２燃え止まり層
３６  第２燃え代層
３８  第１縦溝
４０  繋ぎ梁心材
４２  第３燃え止まり層
４４  第３燃え代層
４６  第２縦溝
４８  ドリフトピン（第１連結部材）
５８  ドリフトピン（第２連結部材）
６６  床版
【図１】
0005925426.tif 000002
【図２】
0005925426.tif 000003
【図３】
0005925426.tif 000004
【図４】
0005925426.tif 000005
【図５】
0005925426.tif 000006
【図６】
0005925426.tif 000007
【図７】
0005925426.tif 000008
【図８】
0005925426.tif 000009
【図９】
0005925426.tif 000010